(57)【要約】【課題】運送会社が他の運送会社に貨物の運送を依頼するための手間を削減できるようにする。【解決手段】本発明の一実施形態に係る運送計画支援装置１は、自社が引き受けた一以上の運送対象貨物それぞれに関する貨物情報と、一以上の運送会社それぞれを特定するための運送会社情報とを取得する情報取得部１１１と、貨物情報に基づいて、一以上の運送対象貨物を一覧可能にする貨物一覧画面を自社の情報端末２に表示させる表示制御部１１２と、を有し、表示制御部１１２は、貨物一覧画面に表示された一以上の運送対象貨物から少なくとも１つの運送対象貨物が依頼貨物として選択されると、依頼貨物の運送を依頼する依頼情報を、運送会社情報が示す一以上の運送会社のうち少なくとも１つの依頼先運送会社の情報端末２に表示可能にする。【選択図】図２
2020173533.tif 000002
【特許請求の範囲】
【請求項１】
貨物の運送計画を支援する運送計画支援装置であって、
自社が引き受けた一以上の運送対象貨物それぞれに関する貨物情報と、一以上の運送会社それぞれを特定するための運送会社情報とを取得する情報取得部と、
前記貨物情報に基づいて、前記一以上の運送対象貨物を一覧可能にする貨物一覧画面を前記自社の情報端末に表示させる表示制御部と、
を有し、
前記表示制御部は、前記貨物一覧画面に表示された前記一以上の運送対象貨物から少なくとも１つの運送対象貨物が依頼貨物として選択されると、前記依頼貨物の運送を依頼する依頼情報を、前記運送会社情報が示す前記一以上の運送会社のうち少なくとも１つの依頼先運送会社の情報端末に表示可能にする、運送計画支援装置。
【請求項２】
前記表示制御部は、前記依頼貨物の運送期限、前記依頼貨物の運送元の位置及び前記依頼貨物の運送先の位置を含む前記依頼情報を、前記依頼先運送会社の情報端末に表示可能にする、請求項１に記載の運送計画支援装置。
【請求項３】
前記表示制御部は、前記依頼情報を前記依頼先運送会社の情報端末に表示可能にした場合に、前記貨物一覧画面において、前記依頼貨物に関連付けて、前記依頼先運送会社に貨物の運送を依頼していることを示す情報を表示させる、請求項１又は２に記載の運送計画支援装置。
【請求項４】
前記表示制御部は、前記貨物一覧画面において前記依頼貨物を選択するための操作を受け付けると、前記一以上の運送会社のうち第１グループに属する前記依頼先運送会社の情報端末に前記依頼情報を表示可能にする、請求項１から３のいずれか一項に記載の運送計画支援装置。
【請求項５】
前記表示制御部は、前記第１グループに属する前記依頼先運送会社の情報端末に前記依頼情報を表示可能にしてから所定時間が経過した後に、前記一以上の運送会社のうち前記第１グループよりも大きい第２グループに属する前記依頼先運送会社の情報端末に前記依頼情報を表示可能にする、請求項４に記載の運送計画支援装置。
【請求項６】
前記自社が前記一以上の運送会社に貨物の運送を依頼する機能、及び前記自社が前記一以上の運送会社から貨物の運送の依頼を引き受ける機能を含む求貨求車機能を実行する求貨求車部をさらに有し、
前記情報取得部は、前記求貨求車機能を用いて他社から引き受けた他社貨物と、前記求貨求車機能を用いることなく引き受けた自社貨物とを含む前記運送対象貨物に関する前記貨物情報を取得する、請求項１から５のいずれか一項に記載の運送計画支援装置。
【請求項７】
前記表示制御部は、前記貨物一覧画面において前記依頼貨物を選択するための操作を受け付けると、前記求貨求車機能を利用可能な前記依頼先運送会社の情報端末に加えて、前記求貨求車機能を利用不可能な運送会社の情報端末に、前記求貨求車機能を利用可能な前記依頼先運送会社の情報端末とは異なる方法で前記依頼情報を表示可能にする、請求項６に記載の運送計画支援装置。
【請求項８】
前記表示制御部は、前記自社が管理する複数の車両それぞれが前記運送対象貨物から選択された選択貨物を運送する運送計画を示す配車板画面を、前記貨物一覧画面と同時に前記自社の情報端末に表示させ、
前記表示制御部は、前記配車板画面において、前記自社が管理する複数の車両のうち１つの車両に割り当てられた前記一以上の運送対象貨物を前記依頼貨物として選択する操作を受け付けると、前記操作が示す前記依頼貨物の運送を依頼する前記依頼情報を前記依頼先運送会社の情報端末に表示可能にする、
請求項１から７のいずれか一項に記載の運送計画支援装置。
【請求項９】
前記表示制御部は、前記依頼先運送会社の情報端末に、前記依頼先運送会社が管理する複数の車両それぞれが前記運送対象貨物から選択された選択貨物を運送する運送計画を示す配車板画面を表示させ、
前記表示制御部は、前記依頼先運送会社の情報端末の前記配車板画面に、前記自社による前記依頼情報が表示可能になったことを示す通知を表示させる、請求項１から８のいずれか一項に記載の運送計画支援装置。
【請求項１０】
貨物の運送計画を支援する運送計画支援装置と、情報端末とを含む運送計画支援システムであって、
前記運送計画支援装置は、
自社が引き受けた一以上の運送対象貨物それぞれに関する貨物情報と、一以上の運送会社それぞれを特定するための運送会社情報とを取得する情報取得部と、
前記貨物情報に基づいて、前記一以上の運送対象貨物を一覧可能にする貨物一覧画面を表示するための表示情報を前記自社の情報端末へ送信する表示制御部と、
を有し、
前記表示制御部は、前記貨物一覧画面に表示された前記一以上の運送対象貨物から少なくとも１つの運送対象貨物が依頼貨物として選択されると、前記依頼貨物の運送を依頼する依頼情報を表示するための前記表示情報を、前記運送会社情報が示す前記一以上の運送会社のうち少なくとも１つの依頼先運送会社の情報端末に送信し、
前記情報端末は、
前記運送計画支援装置が送信した前記表示情報を受信する受信部と、
前記表示情報に基づいて、前記貨物一覧画面及び前記依頼情報を表示する表示部と、
を有する、運送計画支援システム。
【請求項１１】
貨物の運送計画を支援する運送計画支援装置が実行する、
自社が引き受けた一以上の運送対象貨物それぞれに関する貨物情報と、一以上の運送会社それぞれを特定するための運送会社情報とを取得するステップと、
前記貨物情報に基づいて、前記一以上の運送対象貨物を一覧可能にする貨物一覧画面を前記自社の情報端末に表示させるステップと、
前記貨物一覧画面に表示された前記一以上の運送対象貨物から少なくとも１つの運送対象貨物が依頼貨物として選択されると、前記依頼貨物の運送を依頼する依頼情報を、前記運送会社情報が示す前記一以上の運送会社のうち少なくとも１つの依頼先運送会社の情報端末に表示可能にするステップと、
を有する、運送計画支援方法。
【発明の詳細な説明】
【技術分野】
【０００１】
本発明は、運送会社における貨物の運送計画の策定を支援する運送計画支援装置、運送計画支援システム及び運送計画支援方法に関する。
【背景技術】
【０００２】
物流業務において、荷主は、貨物の運送を運送会社に依頼する。運送会社は、運送期限、運送元及び運送先の位置等の貨物情報に基づいて、自社が管理する車両に貨物の運送を割り当てることによって、運送計画を策定する。特許文献１には、コンピュータの表示部に表示された画面上で貨物情報を入力することによって、貨物の運送を自動的に又は手動で車両に割り当てるシステムが記載されている。
【先行技術文献】
【特許文献】
【０００３】
【特許文献１】特開２００３−１４１６７５号公報
【発明の概要】
【発明が解決しようとする課題】
【０００４】
ところで、運送会社は、荷主から依頼された貨物を自社が管理する車両だけでは運送しきれない場合等に、他の運送会社に貨物の運送を依頼する（すなわち求車をする）場合がある。また、運送会社は、自社が管理する車両に空き時間がある場合に、他社から貨物の運送を引き受ける（すなわち求貨をする）場合がある。このように異なる運送会社間で貨物の運送を依頼し合うことを、求貨求車という。
【０００５】
従来、運送会社は、他社へ貨物の運送を依頼する場合に、電話やファクシミリで他社と交渉をして成約する。そのため運送会社は、貨物の運送を引き受ける可能性のある複数の他社それぞれと交渉をする必要があるため、大きな手間が掛かっていた。
【０００６】
本発明はこれらの点に鑑みてなされたものであり、運送会社が他の運送会社に貨物の運送を依頼するための手間を削減する運送計画支援装置、運送計画支援システム及び運送計画支援方法を提供することを目的とする。
【課題を解決するための手段】
【０００７】
本発明の第１の態様の運送計画支援装置は、貨物の運送計画を支援する運送計画支援装置であって、自社が引き受けた一以上の運送対象貨物それぞれに関する貨物情報と、一以上の運送会社それぞれを特定するための運送会社情報とを取得する情報取得部と、前記貨物情報に基づいて、前記一以上の運送対象貨物を一覧可能にする貨物一覧画面を前記自社の情報端末に表示させる表示制御部と、を有し、前記表示制御部は、前記貨物一覧画面に表示された前記一以上の運送対象貨物から少なくとも１つの運送対象貨物が依頼貨物として選択されると、前記依頼貨物の運送を依頼する依頼情報を、前記運送会社情報が示す前記一以上の運送会社のうち少なくとも１つの依頼先運送会社の情報端末に表示可能にする。
【０００８】
前記表示制御部は、前記依頼貨物の運送期限、前記依頼貨物の運送元の位置及び前記依頼貨物の運送先の位置を含む前記依頼情報を、前記依頼先運送会社の情報端末に表示可能にしてもよい。
【０００９】
前記表示制御部は、前記依頼情報を前記依頼先運送会社の情報端末に表示可能にした場合に、前記貨物一覧画面において、前記依頼貨物に関連付けて、前記依頼先運送会社に貨物の運送を依頼していることを示す情報を表示させてもよい。
【００１０】
前記表示制御部は、前記貨物一覧画面において前記依頼貨物を選択するための操作を受け付けると、前記一以上の運送会社のうち第１グループに属する前記依頼先運送会社の情報端末に前記依頼情報を表示可能にしてもよい。
【００１１】
前記表示制御部は、前記第１グループに属する前記依頼先運送会社の情報端末に前記依頼情報を表示可能にしてから所定時間が経過した後に、前記一以上の運送会社のうち前記第１グループよりも大きい第２グループに属する前記依頼先運送会社の情報端末に前記依頼情報を表示可能にしてもよい。
【００１２】
前記運送計画支援装置は、前記自社が前記一以上の運送会社に貨物の運送を依頼する機能、及び前記自社が前記一以上の運送会社から貨物の運送の依頼を引き受ける機能を含む求貨求車機能を実行する求貨求車部をさらに有し、前記情報取得部は、前記求貨求車機能を用いて他社から引き受けた他社貨物と、前記求貨求車機能を用いることなく引き受けた自社貨物とを含む前記運送対象貨物に関する前記貨物情報を取得してもよい。
【００１３】
前記表示制御部は、前記貨物一覧画面において前記依頼貨物を選択するための操作を受け付けると、前記求貨求車機能を利用可能な前記依頼先運送会社の情報端末に加えて、前記求貨求車機能を利用不可能な運送会社の情報端末に、前記求貨求車機能を利用可能な前記依頼先運送会社の情報端末とは異なる方法で前記依頼情報を表示可能にしてもよい。
【００１４】
前記表示制御部は、前記自社が管理する複数の車両それぞれが前記運送対象貨物から選択された選択貨物を運送する運送計画を示す配車板画面を、前記貨物一覧画面と同時に前記自社の情報端末に表示させ、前記表示制御部は、前記配車板画面において、前記自社が管理する複数の車両のうち１つの車両に割り当てられた前記一以上の運送対象貨物を前記依頼貨物として選択する操作を受け付けると、前記操作が示す前記依頼貨物の運送を依頼する前記依頼情報を前記依頼先運送会社の情報端末に表示可能にしてもよい。
【００１５】
前記表示制御部は、前記依頼先運送会社の情報端末に、前記依頼先運送会社が管理する複数の車両それぞれが前記運送対象貨物から選択された選択貨物を運送する運送計画を示す配車板画面を表示させ、前記表示制御部は、前記依頼先運送会社の情報端末の前記配車板画面に、前記自社による前記依頼情報が表示可能になったことを示す通知を表示させてもよい。
【００１６】
本発明の第２の態様の運送計画支援システムは、貨物の運送計画を支援する運送計画支援装置と、情報端末とを含む運送計画支援システムであって、前記運送計画支援装置は、自社が引き受けた一以上の運送対象貨物それぞれに関する貨物情報と、一以上の運送会社それぞれを特定するための運送会社情報とを取得する情報取得部と、前記貨物情報に基づいて、前記一以上の運送対象貨物を一覧可能にする貨物一覧画面を表示するための表示情報を前記自社の情報端末へ送信する表示制御部と、を有し、前記表示制御部は、前記貨物一覧画面に表示された前記一以上の運送対象貨物から少なくとも１つの運送対象貨物が依頼貨物として選択されると、前記依頼貨物の運送を依頼する依頼情報を表示するための前記表示情報を、前記運送会社情報が示す前記一以上の運送会社のうち少なくとも１つの依頼先運送会社の情報端末に送信し、前記情報端末は、前記運送計画支援装置が送信した前記表示情報を受信する受信部と、前記表示情報に基づいて、前記貨物一覧画面及び前記依頼情報を表示する表示部と、を有する。
【００１７】
本発明の第３の態様の運送計画支援方法は、貨物の運送計画を支援する運送計画支援装置が実行する、自社が引き受けた一以上の運送対象貨物それぞれに関する貨物情報と、一以上の運送会社それぞれを特定するための運送会社情報とを取得するステップと、前記貨物情報に基づいて、前記一以上の運送対象貨物を一覧可能にする貨物一覧画面を前記自社の情報端末に表示させるステップと、前記貨物一覧画面に表示された前記一以上の運送対象貨物から少なくとも１つの運送対象貨物が依頼貨物として選択されると、前記依頼貨物の運送を依頼する依頼情報を、前記運送会社情報が示す前記一以上の運送会社のうち少なくとも１つの依頼先運送会社の情報端末に表示可能にするステップと、を有する。
【発明の効果】
【００１８】
本発明によれば、運送会社が他の運送会社に貨物の運送を依頼するための手間を削減できるという効果を奏する。
【図面の簡単な説明】
【００１９】
【図１】実施形態に係る運送計画支援システムの模式図である。
【図２】実施形態に係る運送計画支援システムのブロック図である。
【図３】貨物一覧画面及び配車板画面を表示している情報端末の表示部の正面図である。
【図４】運送計画支援システムが貨物一覧画面及び配車板画面においてユーザによる運送計画の設定を受け付ける方法を説明するための模式図である。
【図５】設定画面を表示している情報端末の表示部の正面図である。
【図６】運送会社のグループを説明するための模式図である。
【図７】依頼情報を表示している情報端末の表示部の正面図である。
【図８】依頼情報を表示している情報端末の表示部の正面図である。
【図９】運送計画支援システムが行う運送計画支援方法のフローチャートを示す図である。
【発明を実施するための形態】
【００２０】
［運送計画支援システムＳの概要］
図１は、本実施形態に係る運送計画支援システムＳの模式図である。運送計画支援システムＳは、運送計画支援装置１と、複数の情報端末２とを含む。運送計画支援システムＳが含む情報端末２の数は限定されない。運送計画支援システムＳは、その他のサーバ、端末等の機器を含んでもよい。
【００２１】
情報端末２は、運送会社が管理するコンピュータである。運送会社は、貨物の運送業務を行う組織である。運送会社は、１人又は複数の構成員からなり、貨物を運送するための１つ又は複数の車両を管理する。１つの運送会社に着目したとき、該運送会社を自社といい、それ以外の運送会社を他社という。情報端末２は、例えばパーソナルコンピュータや、スマートフォン、タブレット端末等の携帯端末である。情報端末２は、インターネット、ローカルエリアネットワーク等のネットワークＮを介して、運送計画支援装置１との間で通信を行う。
【００２２】
運送計画支援装置１は、運送会社における貨物の運送計画の策定を支援するコンピュータである。運送計画支援装置１は、例えばネットワークＮに接続されたサーバである。運送計画支援装置１は、貨物及び車両に関する情報を表示するための情報を複数の情報端末２へ送信し、また複数の情報端末２から運送計画を設定するための情報を受信して記憶する。
【００２３】
運送計画支援装置１は、運送計画を設定する機能と、求貨求社を行う機能とを、各運送会社へ提供する。求貨求車とは、異なる運送会社間で貨物の運送を依頼し合うことをいう。運送計画支援装置１は、自社が引き受けた運送対象貨物に関する貨物情報と、運送会社を特定するための運送会社情報とを取得し、運送対象貨物を一覧可能にする貨物一覧画面を情報端末２に表示させる。
【００２４】
そして運送計画支援装置１は、運送会社のユーザによって、貨物一覧画面に表示された少なくとも１つの運送対象貨物が依頼貨物として選択されると、依頼貨物の運送を依頼する依頼情報を、他社の情報端末２に表示可能にする。
【００２５】
このような構成により、運送計画支援システムＳは、運送会社の情報端末２上で選択された依頼貨物の運送を依頼する依頼情報を、他社の情報端末２に表示させる。運送会社のユーザは、他社と電話やファクシミリで交渉することなく、運送計画支援システムＳ上で依頼情報を他社に提供し、依頼貨物の運送を引き受けるか否かを他社に判断してもらうことができる。そのため運送計画支援装置１は、運送会社のユーザが他社に運送対象貨物の運送を依頼するための手間を削減できる。
【００２６】
［運送計画支援システムＳの構成］
図２は、本実施形態に係る運送計画支援システムＳのブロック図である。図２において、矢印は主なデータの流れを示しており、図２に示していないデータの流れがあってよい。図２において、各ブロックはハードウェア（装置）単位の構成ではなく、機能単位の構成を示している。そのため、図２に示すブロックは単一の装置内に実装されてよく、あるいは複数の装置内に分かれて実装されてよい。ブロック間のデータの授受は、データバス、ネットワーク、可搬記憶媒体等、任意の手段を介して行われてよい。
【００２７】
運送計画支援装置１は、制御部１１と、記憶部１２とを有する。制御部１１は、情報取得部１１１と、表示制御部１１２と、運送計画設定部１１３と、求貨求車部１１４とを有する。記憶部１２は、運送計画記憶部１２１と、運送会社情報記憶部１２２と、求貨求車情報記憶部１２３とを有する。
【００２８】
記憶部１２は、ＲＯＭ（Read Only Memory）、ＲＡＭ（Random Access Memory）、ハードディスクドライブ等を含む記憶媒体である。記憶部１２は、制御部１１が実行するプログラムを予め記憶している。記憶部１２は、運送計画支援装置１の外部に設けられてもよく、その場合にネットワークを介して制御部１１との間でデータの授受を行ってもよい。
【００２９】
運送計画記憶部１２１は、運送会社ごとに運送計画を記憶する。運送会社情報記憶部１２２は、運送会社ごとに車両及び貨物に関する情報を記憶する。求貨求車情報記憶部１２３は、異なる運送会社間で貨物の運送を依頼するための情報を記憶する。運送計画記憶部１２１、運送会社情報記憶部１２２及び求貨求車情報記憶部１２３は、それぞれ記憶部１２上の記憶領域であってもよく、あるいは記憶部１２上で構成されたデータベースであってもよい。
【００３０】
制御部１１は、例えばＣＰＵ（Central Processing Unit）等のプロセッサであり、記憶部１２に記憶されたプログラムを実行することにより、情報取得部１１１、表示制御部１１２、運送計画設定部１１３及び求貨求車部１１４として機能する。制御部１１の機能の少なくとも一部は、電気回路によって実行されてもよい。また、制御部１１の機能の少なくとも一部は、ネットワーク経由で実行されるプログラムによって実行されてもよい。
【００３１】
情報端末２は、制御部２１と、記憶部２２と、操作部２３と、表示部２４とを有する。制御部２１は、送信部２１１と、受信部２１２とを有する。
【００３２】
表示部２４は、液晶ディスプレイ等、情報を表示可能な表示装置を含む。操作部２３は、キーボード、マウス等、ユーザの操作によって情報を入力可能な操作装置を含む。表示部２４としてユーザによる接触の位置を検出可能なタッチスクリーンを用いることによって、表示部２４と操作部２３とを一体に構成してもよい。
【００３３】
記憶部２２は、ＲＯＭ、ＲＡＭ、ハードディスクドライブ等を含む記憶媒体である。記憶部２２は、制御部２１が実行するプログラムを予め記憶している。記憶部２２は、情報端末２の外部に設けられてもよく、その場合にネットワークを介して制御部２１との間でデータの授受を行ってもよい。
【００３４】
制御部２１は、例えばＣＰＵ等のプロセッサであり、記憶部２２に記憶されたプログラムを実行することにより、送信部２１１及び受信部２１２として機能する。制御部２１の機能の少なくとも一部は、電気回路によって実行されてもよい。また、制御部２１の機能の少なくとも一部は、ネットワーク経由で実行されるプログラムによって実行されてもよい。
【００３５】
本実施形態に係る運送計画支援装置１及び情報端末２は、図２に示す具体的な構成に限定されない。運送計画支援装置１及び情報端末２は、それぞれ１つの装置に限られず、２つ以上の物理的に分離した装置が有線又は無線で接続されることにより構成されてもよい。
【００３６】
［運送計画支援方法の説明］
いずれかの運送会社のユーザ（オペレータ）は、情報端末２を用いて画面を表示するための操作を行う。画面を表示するための操作が行われると、情報端末２の送信部２１１は、情報端末２を管理する運送会社を識別可能な識別情報（例えば運送会社ＩＤ）を、運送計画支援装置１へ送信する。運送計画支援装置１において、情報取得部１１１は、情報端末２が送信した運送会社ＩＤに基づいて、画面を表示するための情報を取得する。
【００３７】
具体的には、情報取得部１１１は、情報端末２が送信した運送会社ＩＤを受信して取得する。以下では、情報取得部１１１が取得した運送会社ＩＤに対応する運送会社を自社といい、それ以外の運送会社を他社という。
【００３８】
情報取得部１１１は、運送計画記憶部１２１において自社の運送会社ＩＤに関連付けられた運送計画（すなわち、自社が管理する自社車両の運送計画）を取得する。運送計画は、例えば車両を識別可能な識別情報（例えば車両ＩＤ）と、車両が運送する予定の貨物を識別可能な識別情報（例えば貨物ＩＤ）とを関連付けて示す。
【００３９】
また、情報取得部１１１は、運送会社情報記憶部１２２において自社の運送会社ＩＤに関連付けられた、自社が管理する自社車両に関する車両情報と、自社が運送計画支援システムＳの求貨求車機能を用いることなく引き受けた自社貨物（第１の貨物）に関する貨物情報とを取得する。自社車両は、自社が保有する車両であってもよく、あるいは自社が管理を行う他社の車両であってもよい。
【００４０】
車両情報は、例えば車両の車両登録番号、車種（最大積載量、寸法、荷台形状等）、運送可能な貨物の種類、混載可否及び運賃、並びに車両の運転手の氏名、勤務予定時間、残業時間及び連続運転時間を、車両ＩＤに関連付けて示す。貨物情報は、例えば貨物の種類、運賃、運送期限（荷積み時刻及び荷卸し時刻）、運送元（積地）の位置、運送先（卸地）の位置、荷主の名称、混載可否及び貨物を運送可能な車種を、貨物ＩＤに関連付けて示す。
【００４１】
また、情報取得部１１１は、求貨求車情報記憶部１２３において自社の運送会社ＩＤに関連付けられた求貨求車情報を取得する。求貨求車情報は、他社が運送を依頼した他社貨物に関する貨物情報（すなわち、求車情報）と、他社が貨物の運送を引き受ける依頼をした他社車両の車両情報（すなわち、求貨情報）と、運送会社が運送を依頼した貨物の運送を他の運送会社が引き受けたことを示す情報（すなわち、引き受け情報）を含む。
【００４２】
求車情報は、自社が運送計画支援システムＳの求貨求車機能を用いて他社から引き受けた引受済他社貨物（第２の貨物）の貨物情報と、自社が運送計画支援システムＳの求貨求車機能を用いて他社から引き受けることが可能な未引受他社貨物（第３の貨物）の貨物情報とを含む。引受済他社貨物及び未引受他社貨物の貨物情報の内容は、自社貨物の貨物情報と同様である。
【００４３】
求貨情報は、運送対象貨物を運送可能な他社車両の車両情報を含む。求貨情報は、自社車両の車両情報と同様の内容に加えて、他社車両が貨物を運送可能な時間を、車両ＩＤに関連付けて示す。
【００４４】
表示制御部１１２は、情報取得部１１１が取得した車両情報、貨物情報及び求貨求車情報に基づいて、貨物一覧画面及び配車板画面を同時に情報端末２に表示させるための表示情報を生成し、情報端末２へ送信する。
【００４５】
情報端末２において、受信部２１２は、運送計画支援装置１が送信した表示情報を受信し、受信した表示情報に基づいて貨物一覧画面及び配車板画面を同時に表示部２４に表示させる。
【００４６】
図３は、貨物一覧画面Ｂ及び配車板画面Ａを表示している情報端末２の表示部２４の正面図である。表示部２４は、自社貨物と引受済他社貨物とを一覧可能にする貨物一覧画面Ｂと、複数の車両それぞれが自社貨物及び引受済他社貨物から選択された選択貨物を運送する運送計画を示す配車板画面Ａとを同時に表示している。
【００４７】
配車板画面Ａは、車両情報Ａ１と、運送計画Ａ２と、貨物依頼欄Ａ３とを含む。図３に例示した車両情報Ａ１は、車両の車種、運転手の氏名及び運転手の労務情報（残業時間、連続運転時間等）を表している。車両情報Ａ１は、車両の車両登録番号等、その他の情報を表してもよい。
【００４８】
運送計画Ａ２は、自社貨物及び引受済他社貨物から選択された、車両が運送する予定の選択貨物に関する貨物情報を、時刻に関連付けて表す。図３の例では、運送計画Ａ２は、時刻を表す横軸に沿って、貨物ごとに荷積み時刻から荷卸し時刻まで延在する帯によって、貨物情報を表している。運送計画Ａ２は、貨物の運送期限、運送元の位置、運送先の位置、及び貨物を運送可能な車種を表している。運送計画Ａ２は、貨物の種類、混載可否、荷主の名称等、その他の情報を表してもよい。
【００４９】
貨物依頼欄Ａ３は、他社が運送を依頼している依頼貨物を示す依頼情報を表示する。貨物依頼欄Ａ３の具体的な内容については、図７を用いて後述する。
【００５０】
貨物一覧画面Ｂは、貨物情報Ｂ１を含む。図３の例では、貨物一覧画面Ｂは、車両に割り当てられていない自社貨物及び引受済他社貨物の貨物情報Ｂ１のみを含んでいるが、それに加えて車両に割り当てられた自社貨物及び引受済他社貨物の貨物情報Ｂ１を含んでもよい。また、貨物一覧画面Ｂは、自社貨物及び引受済他社貨物に加えて、未引受他社貨物の貨物情報Ｂ１を含んでもよい。
【００５１】
図３に例示した貨物情報Ｂ１は、自社貨物及び引受済他社貨物それぞれについて、貨物の種類、運賃、運送期限、運送元の位置、運送先の位置、荷主の名称、混載可否及び貨物を運送可能な車種を表している。さらに後述の求貨求車機能によって依頼情報を登録している貨物に対応する貨物情報Ｂ１は、他社に運送を依頼していることを示すラベルＢ１１を含む。ラベルＢ１１は、例えば他社に運送を依頼している旨の文字列と、依頼先の他社の数とを表す。これにより自社のユーザは、他社に運送を依頼している貨物を速やかに認識できる。貨物情報Ｂ１は、その他の情報を表してもよい。
【００５２】
図３に示した貨物一覧画面Ｂ及び配車板画面Ａは一例であり、情報の内容、外観及び配置は変更されてもよい。
【００５３】
このように運送計画支援システムＳは、自社貨物及び引受済他社貨物を一覧可能にする貨物一覧画面Ｂを、運送計画を設定するための配車板画面Ａと同時に表示する。これにより、運送会社のユーザは、自社貨物及び引受済他社貨物を包括的に把握し、それらに基づいて運送計画を策定することができる。
【００５４】
次に、運送計画支援システムＳが提供する運送計画設定機能を説明する。運送計画支援システムＳは、情報端末２に表示されている貨物一覧画面Ｂ及び配車板画面Ａにおける操作に基づいて、運送会社のユーザによる運送計画の設定を受け付ける。図４は、運送計画支援システムＳが貨物一覧画面Ｂ及び配車板画面Ａにおいてユーザによる運送計画の設定を受け付ける方法を説明するための模式図である。
【００５５】
ユーザは、情報端末２の操作部２３を用いて、車両に割り当てたい自社貨物又は引受済他社貨物に対応する貨物情報Ｂ１の領域を、該車両に対応する運送計画Ａ２に移動させる操作を行う。情報端末２の送信部２１１は、操作部２３の操作に応じて、車両に割り当てたい自社貨物又は引受済他社貨物の貨物ＩＤと、該車両の車両ＩＤとを、運送計画支援装置１へ送信する。
【００５６】
運送計画支援装置１において、運送計画設定部１１３は、情報端末２が送信した貨物ＩＤ及び車両ＩＤを受信する。そして運送計画設定部１１３は、受信した貨物ＩＤ及び車両ＩＤを関連付けた運送計画を、運送会社ＩＤに関連付けて運送計画記憶部１２１に記憶させることによって設定する。
【００５７】
さらに表示制御部１１２は、変更された運送計画を、配車板画面Ａの運送計画Ａ２として、情報端末２の表示部２４に表示させる。このとき、表示制御部１１２は、配車板画面Ａにおいて運送計画が変更されたことに応じて、変更された運送計画に対応する自社貨物又は引受済他社貨物の貨物情報Ｂ１の表示態様を貨物一覧画面Ｂにおいて変化させる。図４の例では、変更された運送計画に対応する自社貨物又は引受済他社貨物の貨物情報Ｂ１を貨物一覧画面Ｂから削除しているが、変更された運送計画に対応する自社貨物又は引受済他社貨物の貨物情報Ｂ１の領域中に所定のラベル又は所定の背景を表示してもよい。
【００５８】
さらに表示制御部１１２は、変更された運送計画に基づいて車両の運転手の労務情報（残業時間、連続運転時間等）を更新し、更新された労務情報を、情報端末２の表示部２４に表示させてもよい。
【００５９】
このように運送計画支援システムＳは、貨物一覧画面Ｂから配車板画面Ａへ自社貨物又は引受済他社貨物を移動させる操作を行うことによって、運送計画を設定する。これにより、運送会社のユーザは、自社貨物及び引受済他社貨物を、同じ操作で容易に車両に割り当てることができる。
【００６０】
次に、運送計画支援システムＳが提供する求貨求車機能について説明する。自社が管理する車両が他社の貨物を運送可能なことを示す求貨情報を登録したい場合に、自社のユーザは、情報端末２の操作部２３を用いて、自社が管理する車両が貨物を運送可能な時間を指定する操作を行う。貨物を運送可能な空き時間は、貨物一覧画面Ｂ又は配車板画面Ａ上で指定されてもよく、情報端末２が表示するその他の画面上で指定されてもよい。情報端末２の送信部２１１は、自社が管理する車両の車両ＩＤと、該車両が貨物を運送可能な空き時間とを、運送計画支援装置１へ送信する。運送計画支援装置１において、求貨求車部１１４は、情報端末２が送信した車両ＩＤに対応する車両に関する車両情報と、情報端末２が送信した空き時間とを、求貨情報として求貨求車情報記憶部１２３に記憶させる。
【００６１】
未引受他社貨物の運送を引き受ける場合に、自社のユーザは、情報端末２の操作部２３を用いて、運送を引き受ける未引受他社貨物を指定する操作を行う。運送を引き受ける未引受他社貨物は、貨物一覧画面Ｂ又は配車板画面Ａ上で指定されてもよく、情報端末２が表示するその他の画面上で指定されてもよい。情報端末２の送信部２１１は、運送を引き受ける未引受他社貨物の貨物ＩＤを、運送計画支援装置１へ送信する。運送計画支援装置１において、求貨求車部１１４は、情報端末２が送信した貨物ＩＤに対応する未引受他社貨物に関する貨物情報を自社の運送会社ＩＤに関連付けることによって生成した引き受け情報を、求貨求車情報記憶部１２３に記憶させる。
【００６２】
自社貨物又は引受済他社貨物の運送を他社に依頼する求車情報（依頼情報）を登録したい場合に、自社のユーザは、情報端末２の操作部２３を用いて、貨物一覧画面Ｂに表示されている一以上の自社貨物又は引受済他社貨物（すなわち運送対象貨物）のうち、少なくとも１つの運送対象貨物を、依頼貨物として選択する操作を行う。また、自社のユーザは、情報端末２の操作部２３を用いて、貨物一覧画面Ｂと同時に表示された配車板画面Ａにおいて既に車両に割り当てられている一以上の運送対象貨物のうち、少なくとも１つの運送対象貨物を、依頼貨物として選択する操作を行ってもよい。
【００６３】
情報端末２の送信部２１１は、依頼貨物の貨物ＩＤを、運送計画支援装置１へ送信する。運送計画支援装置１において、表示制御部１１２は、情報端末２が送信した依頼貨物の貨物ＩＤを受信する。そして表示制御部１１２は、該依頼貨物の運送を他社に依頼する条件である求車条件（依頼条件）を設定する設定画面を表示するための表示情報を生成し、自社の情報端末２へ送信する。情報端末２において、受信部２１２は、運送計画支援装置１が送信した表示情報を受信し、受信した表示情報に基づいて設定画面を表示部２４に表示させる。
【００６４】
図５は、設定画面Ｃを表示している情報端末２の表示部２４の正面図である。設定画面Ｃは、単独の画面として表示部２４に表示されてもよく、あるいは貨物一覧画面Ｂ及び配車板画面Ａ上に重畳されて表示部２４に表示されてもよい。
【００６５】
設定画面Ｃは、第１条件欄Ｃ１と、第２条件欄Ｃ２と、運送会社欄Ｃ３とを含む。第１条件欄Ｃ１は、第１グループに属する他社に対する依頼条件の入力を受け付ける。第２条件欄Ｃ２は、第１グループよりも大きい第２グループに属する他社に対する依頼条件の入力を受け付ける。運送会社欄Ｃ３は、第１グループに属する他社の中から、さらに依頼の対象とする他社を絞り込む選択を受け付ける。
【００６６】
図６は、運送会社のグループを説明するための模式図である。運送計画支援システムＳの求貨求車機能は、運送計画支援システムＳが提供するサービスに加入している運送会社に提供される。運送計画支援システムＳが提供するサービスに加入している運送会社を加入者といい、運送計画支援システムＳが提供するサービスに加入していない運送会社を非加入者という。すなわち、加入者は運送計画支援システムＳの求貨求車機能を利用可能であり、非加入者は運送計画支援システムＳの求貨求車機能を利用不可能である。
【００６７】
第１グループＧ１は、加入者である一以上の他社のうち、自社が予め登録している他社が属するグループである。自社は、他社をフォローしたり、他社をお気に入りとして設定したりすることによって、他社を登録する。運送計画支援装置１の運送会社情報記憶部１２２は、自社が登録している他社の運送会社ＩＤを、自社の運送会社ＩＤと関連付けて予め記憶している。第１グループＧ１に属する他社は、さらに地域、分野等のサブグループに分けられてもよい。
【００６８】
別の方法として、運送計画支援装置１は、所定の規則に従って、自動的に第１グループＧ１に属する他社を決定してもよい。この場合に、運送計画支援装置１は、例えば運送会社ごとの評価を運送会社ＩＤに関連付けて予め記憶する。評価は、例えば運送の良さを示す点数であり、運送会社が過去に取り引きを行った相手によって設定される。評価は、運送会社自体に対して行われてもよく、あるいは運送会社によって運送された貨物の種類に対して行われてもよい。
【００６９】
そして運送計画支援装置１は、評価が所定の条件を満たす他社（例えば、評価が所定値以上である他社、又は評価が高い順に所定数の他社）を、第１グループＧ１に属する他社として決定する。
【００７０】
第２グループＧ２は、加入者である一以上の他社が属するグループである。そのため、第２グループＧ２は、第１グループＧ１よりも大きい。第３グループＧ３は、非加入者である一以上の他社が属するグループである。運送計画支援システムＳは、第３グループＧ３に属する他社に、求貨求車機能を提供しないが、図８を用いて後述するように依頼情報を表示可能にする。
【００７１】
図５に戻り、第１条件欄Ｃ１は、第１グループに属する他社（すなわち加入者全体の少なくとも一部）を対象とする第１依頼（フォロー依頼）を行うか否かを選択するための選択欄Ｃ１１と、第１依頼をする場合の金額を入力するための金額欄Ｃ１２とを含む。金額欄Ｃ１２は、例えば運賃、諸掛及び高速代それぞれを入力する欄を含む。
【００７２】
第２条件欄Ｃ２は、第２グループに属する他社（すなわち加入者全体）を対象とする第２依頼（求貨求車）を開始する時間を指定するための時間欄Ｃ２１と、第２依頼をする場合の金額を入力するための金額欄Ｃ２２とを含む。金額欄Ｃ２２は、例えば運賃、諸掛及び高速代それぞれを入力する欄を含む。
【００７３】
選択欄Ｃ１１において第１グループに属する他社を対象とする第１依頼を行うと選択された場合に、第１グループに属する他社への第１依頼が開始してから時間欄Ｃ２１で指定された時間が経過したことを条件として、第２グループに属する他社への第２依頼が開始される。一方、選択欄Ｃ１１において第１グループに属する他社を対象とする第１依頼を行わないと選択された場合に、金額欄Ｃ１２、時間欄Ｃ２１及び運送会社欄Ｃ３は無視され、すぐに第２グループに属する他社を対象とする第２依頼が開始される。
【００７４】
運送会社欄Ｃ３は、第１グループを構成するサブグループを選択するためのサブグループ選択欄Ｃ３１と、第１グループに属する他社を選択するための運送会社選択欄Ｃ３２とを含む。サブグループ選択欄Ｃ３１には、第１グループを構成するサブグループの一覧が選択可能な状態で表示される。運送会社選択欄Ｃ３２には、第１グループに属する他社の一覧が選択可能な状態で表示される。サブグループ選択欄Ｃ３１においていずれかのサブグループが選択された場合には、選択されたサブグループに属する他社が運送会社選択欄Ｃ３２において選択される。運送会社欄Ｃ３の選択は行われなくてもよい。
【００７５】
情報端末２の送信部２１１は、操作部２３の操作に応じて、設定画面Ｃで設定された第１条件欄Ｃ１、第２条件欄Ｃ２及び運送会社欄Ｃ３の内容を、依頼条件として運送計画支援装置１へ送信する。運送計画支援装置１において、表示制御部１１２は、情報端末２が送信した依頼条件を受信する。
【００７６】
選択欄Ｃ１１において第１グループに属する他社を対象とする第１依頼を行うと選択された場合に、表示制御部１１２は、一以上の他社のうち、第１グループに属する他社を第１依頼の依頼先運送会社として特定する。このとき表示制御部１１２は、運送会社欄Ｃ３で他社の選択が行われている場合には、第１グループに属する他社のうち運送会社欄Ｃ３で選択された他社を依頼先運送会社として特定する。
【００７７】
表示制御部１１２は、依頼貨物の貨物情報及び情報端末２が送信した依頼条件に基づいて、第１グループに対する依頼情報を生成する。依頼情報は、例えば依頼貨物の貨物情報が示す貨物の種類、運送期限、運送元の位置、運送先の位置、荷主の名称、混載可否及び貨物を運送可能な車種、並びに情報端末２が送信した依頼条件が示す金額を含む。表示制御部１１２は、生成した依頼情報を表示するための表示情報を、第１グループに属する依頼先運送会社の運送会社ＩＤと関連付けて求貨求車情報記憶部１２３に記憶させる。これにより、第１依頼の依頼情報は、第１グループに属する依頼先運送会社の情報端末２に表示可能になる。
【００７８】
次に表示制御部１１２は、第１グループに属する依頼先運送会社の情報端末２に依頼情報を表示可能にしてから、時間欄Ｃ２１で指定された時間が経過した後に、一以上の他社のうち、第２グループに属する他社を第２依頼の依頼先運送会社として特定する。表示制御部１１２は、依頼貨物の貨物情報及び情報端末２が送信した依頼条件に基づいて、第２グループに対する依頼情報を生成する。表示制御部１１２は、生成した依頼情報を表示するための表示情報を、第２グループに属する依頼先運送会社の運送会社ＩＤと関連付けて求貨求車情報記憶部１２３に記憶させる。これにより、第２依頼の依頼情報は、第２グループに属する依頼先運送会社の情報端末２に表示可能になる。
【００７９】
一方、選択欄Ｃ１１において第１グループに属する他社を対象とする第１依頼を行わないと選択された場合に、表示制御部１１２は、第１依頼を行わずに、一以上の他社のうち、第２グループに属する他社を第２依頼の依頼先運送会社として特定する。表示制御部１１２は、依頼貨物の貨物情報及び情報端末２が送信した依頼条件に基づいて、第２グループに対する依頼情報を生成する。表示制御部１１２は、生成した依頼情報を、第２グループに属する依頼先運送会社の運送会社ＩＤと関連付けて求貨求車情報記憶部１２３に記憶させる。これにより、第２依頼の依頼情報は、第２グループに属する依頼先運送会社の情報端末２に表示可能になる。
【００８０】
表示制御部１１２は、依頼貨物の種類（品目）に基づいて、依頼情報を表示可能にする依頼先運送会社を絞り込んでもよい。例えば運送計画支援装置１は、運送会社が取り扱い可能な貨物の種類を、運送会社ＩＤに関連付けて予め記憶する。そして表示制御部１１２は、生成した依頼情報を、依頼貨物の種類が取り扱い可能な貨物の種類に含まれている依頼先運送会社の運送会社ＩＤと関連付けて求貨求車情報記憶部１２３に記憶させる。これにより運送計画支援装置１は、依頼貨物を取り扱うことができない運送会社に対して依頼情報を無駄に表示させることを防ぐことができる。
【００８１】
このように運送計画支援システムＳは、貨物一覧画面Ｂ又は配車板画面Ａ上で依頼貨物の選択を自社の情報端末２から受け付け、依頼貨物の運送を依頼する依頼情報を他社の情報端末２に提供する。そのため、運送計画支援システムＳは、運送会社のユーザが他社に貨物の運送を依頼するための手間を削減できる。
【００８２】
さらに運送計画支援システムＳは、ユーザが登録した第１グループに属する他社に依頼情報を提供した後、指定された時間が経過した後に第２グループに属する他社に依頼情報を提供する。そのため、運送会社は例えば過去に取引のあった他社等に対して優先的に依頼情報を送信し、引き受け先が見付からなかった場合に、より多くの他社に対して依頼情報を送信することができる。
【００８３】
依頼先運送会社のユーザは、情報端末２を用いて画面を表示するための操作を行う。画面を表示するための操作が行われると、情報端末２の送信部２１１は、依頼先運送会社の運送会社ＩＤを、運送計画支援装置１へ送信する。運送計画支援装置１において、表示制御部１１２は、求貨求車情報記憶部１２３において、情報端末２が送信した運送会社ＩＤに関連付けられた依頼情報を取得する。表示制御部１１２は、依頼情報を表示するための表示情報を、依頼先運送会社の情報端末２へ送信する。
【００８４】
情報端末２において、受信部２１２は、運送計画支援装置１が送信した表示情報を受信し、受信した表示情報に基づいて依頼情報を表示部２４に表示させる。
【００８５】
図７は、依頼情報を表示している情報端末２の表示部２４の正面図である。図７は、第１グループ又は第２グループに属する（すなわち、加入者である）依頼先運送会社の情報端末２が依頼情報を表示する画面を表している。図７の例において、依頼情報は、配車板画面において貨物依頼欄Ａ３として表示されているが、その他の画面において表示されてもよい。
【００８６】
貨物依頼欄Ａ３は、依頼情報が表示可能になったことを示す通知Ａ３１と、運送計画支援装置１が送信した表示情報が示す依頼情報Ａ３２とを含む。通知Ａ３１は、依頼先運送会社が表示可能な少なくとも１つの依頼情報が存在することを示しており、例えば所定の記号によって表される。これにより依頼先運送会社は、依頼情報があることを速やかに認識できる。
【００８７】
依頼先運送会社のユーザによって貨物依頼欄Ａ３を押下する操作が行われた場合に、情報端末２は、依頼情報Ａ３２を表示する。依頼情報Ａ３２は、例えば依頼元の運送会社の名称、貨物の種類、運送期限、運送元の位置、運送先の位置、混載可否及び貨物を運送可能な車種、並びに情報端末２が送信した依頼条件が示す金額を表す。依頼情報Ａ３２は、その他の情報を表してもよい。
【００８８】
求貨求車情報記憶部１２３に複数の依頼情報が記憶されている場合に、依頼情報Ａ３２として複数の依頼情報のうち一部の依頼情報が表示されてもよい。その場合に、情報端末２の表示部２４は、貨物依頼欄Ａ３で所定の操作（例えば図７の「すべて見る」のラベルの押下）が行われたことを条件として、複数の依頼情報を一覧可能にする画面を表示する。
【００８９】
依頼先運送会社のユーザは、いずれかの依頼情報Ａ３２が示す依頼貨物の運送を引き受ける場合に、情報端末２の操作部２３を用いて、該依頼情報Ａ３２を押下する操作を行う。情報端末２の送信部２１１は、押下された依頼情報Ａ３２を特定する貨物ＩＤを、情報端末２を管理する依頼先運送会社の運送会社ＩＤとともに運送計画支援装置１へ送信する。
【００９０】
運送計画支援装置１において、求貨求車部１１４は、情報端末２が送信した貨物ＩＤを受信する。そして求貨求車部１１４は、受信した貨物ＩＤに対応する依頼貨物の貨物情報を、情報端末２が送信した運送会社ＩＤに関連付けることによって生成した引き受け情報を、求貨求車情報記憶部１２３に記憶させる。これにより、運送計画支援装置１は、自社が登録した依頼情報が示す依頼貨物の運送を依頼先運送会社が引き受けることを示す引き受け情報を登録できる。
【００９１】
運送計画支援装置１は、引き受け情報を登録する前に、押下された依頼情報Ａ３２に対応する依頼貨物の詳細な貨物情報を表す画面を、依頼先運送会社の情報端末２の表示部２４に表示させてもよい。この場合に、依頼貨物の詳細な貨物情報を表す画面において所定の操作が行われた場合に、運送計画支援装置１において、求貨求車部１１４は引き受け情報を求貨求車情報記憶部１２３に記憶させる。
【００９２】
表示制御部１１２は、いずれかの依頼先運送会社によって運送が引き受けられた依頼貨物の依頼情報を、求貨求車情報記憶部１２３において他の依頼先運送会社に表示不可能に設定する。これにより運送計画支援装置１は、既に引き受けられた依頼貨物に係る依頼情報の表示を中止できる。
【００９３】
このように、第１グループ及び第２グループに属する依頼先運送会社は、表示された依頼情報を押下することによって、電話やファクシミリによる交渉を必要とせずに依頼貨物の運送を容易に引き受けることができる。
【００９４】
さらに表示制御部１１２は、第２グループに属する（すなわち、加入者である）依頼先運送会社の情報端末２に依頼情報を表示可能にする際に、第３グループに属する（すなわち、非加入者である）依頼先運送会社の情報端末２にも依頼情報を表示可能にする。第３グループに属する依頼先運送会社の情報端末２は、運送計画支援システムＳの求貨求車機能を利用不可能であるため、図３に示す貨物一覧画面Ｂ及び配車板画面Ａを表示できない。そのため、表示制御部１１２は、第２グループに属する依頼先運送会社の情報端末２とは異なる方法で、第３グループに属する依頼先運送会社の情報端末２に依頼情報を表示可能にする。
【００９５】
表示制御部１１２は、一以上の他社のうち、第３グループに属する他社を依頼先運送会社として特定する。表示制御部１１２は、第２グループを対象とする第２依頼の依頼情報を生成した際に、第２依頼の依頼情報を第３グループに属する依頼先運送会社の運送会社ＩＤと関連付けて求貨求車情報記憶部１２３に記憶させる。これにより、第２依頼の依頼情報は、第３グループに属する依頼先運送会社の情報端末２にも表示可能になる。
【００９６】
第３グループに属する依頼先運送会社の情報端末２は、予め記憶部２２に記憶された運送計画支援装置１との間で情報を送受信するためのアプリケーション（ソフトウェア）を実行している。情報端末２の送信部２１１は、第３グループに属する依頼先運送会社の運送会社ＩＤを、運送計画支援装置１へ送信する。
【００９７】
運送計画支援装置１において、表示制御部１１２は、求貨求車情報記憶部１２３で情報端末２が送信した運送会社ＩＤに関連付けられた依頼情報を取得する。表示制御部１１２は、依頼情報を表示するための表示情報を、依頼先運送会社の情報端末２へ送信する。情報端末２において、受信部２１２は、運送計画支援装置１が送信した表示情報を受信し、受信した表示情報に基づいて、依頼情報を表示部２４に表示させる。
【００９８】
図８は、依頼情報を表示している情報端末２の表示部２４の正面図である。図８は、第３グループに属する（すなわち、非加入者である）依頼先運送会社の情報端末２が依頼情報を表示する画面を表している。
【００９９】
情報端末２は、貨物一覧画面Ｂ及び配車板画面Ａとは異なる画面Ｄ（例えば情報端末２のオペレーティングシステムが提供するデスクトップ画面）内に、運送計画支援装置１が送信した表示情報が示す依頼情報Ｄ１を表示する。依頼情報Ｄ１は、例えば依頼元の運送会社の名称、連絡先、貨物の種類、運送期限、運送元の位置、運送先の位置、混載可否及び貨物を運送可能な車種、並びに情報端末２が送信した依頼条件が示す金額を表す。依頼情報Ｄ１は、その他の情報を表してもよい。これにより、運送計画支援システムＳは、非加入者である依頼先運送会社に対しても依頼情報を提供できる。
【０１００】
第３グループに属する依頼先運送会社のユーザは、依頼情報Ｄ１が示す依頼貨物の運送を引き受ける場合に、運送計画支援システムＳの求貨求車機能を利用できないため、依頼情報Ｄ１に記載された依頼元の運送会社の連絡先に連絡することによって、依頼貨物の運送を引き受ける。
【０１０１】
さらに情報端末２は、依頼情報Ｄ１とともに、運送計画支援システムＳの求貨求車機能を利用可能にするサービスへの加入を促す情報Ｄ２を表示部２４に表示させる。このように運送計画支援システムＳは、非加入者である依頼先運送会社に対して、依頼情報を提供するとともに、サービスへの加入を促進することができる。
【０１０２】
さらに表示制御部１１２は、第２グループに属する依頼先運送会社の情報端末２に依頼情報を表示可能にする際に、運送計画支援システムＳとは異なる求貨求車機能を提供するシステムに、依頼情報を送信してもよい。これにより、運送会社は、運送計画支援システムＳを利用する運送会社だけでなく、他のシステムを利用している運送会社にも依頼情報を提示できる。
【０１０３】
［運送計画支援方法のフロー］
図９は、運送計画支援システムＳが行う運送計画支援方法のフローチャートを示す図である。運送会社のユーザは、情報端末２を用いて画面を表示するための操作を行う。画面を表示するための操作が行われると、情報端末２の送信部２１１は、情報端末２を管理する運送会社の運送会社ＩＤを、運送計画支援装置１へ送信する。
【０１０４】
運送計画支援装置１において、情報取得部１１１は、情報端末２が送信した運送会社ＩＤを受信して取得する（Ｓ１１）。また、情報取得部１１１は、運送会社情報記憶部１２２において運送会社ＩＤに関連付けられた、自社が管理する車両に関する車両情報と、自社貨物に関する貨物情報とを取得する。また、情報取得部１１１は、求貨求車情報記憶部１２３において運送会社ＩＤに関連付けられた求貨求車情報を取得する。
【０１０５】
表示制御部１１２は、情報取得部１１１が取得した車両情報、自社貨物に関する貨物情報及び引受済他社貨物に関する貨物情報に基づいて、貨物一覧画面及び配車板画面を同時に情報端末２に表示させるための表示情報を生成し、情報端末２へ送信する（Ｓ１２）。情報端末２において、受信部２１２は、運送計画支援装置１が送信した表示情報を受信し、受信した表示情報に基づいて貨物一覧画面及び配車板画面を同時に表示部２４に表示させる。
【０１０６】
自社貨物又は引受済他社貨物の運送を他社に依頼する求車情報（依頼情報）を登録したい場合に、自社のユーザは、情報端末２の操作部２３を用いて、貨物一覧画面Ｂ又は配車板画面Ａに表示されている一以上の自社貨物又は引受済他社貨物（すなわち運送対象貨物）のうち、少なくとも１つの運送対象貨物を、依頼貨物として選択する操作を行う。
【０１０７】
情報端末２の送信部２１１は、依頼貨物の貨物ＩＤを、運送計画支援装置１へ送信する。運送計画支援装置１において、表示制御部１１２は、情報端末２が送信した依頼貨物の貨物ＩＤを受信する（Ｓ１３）。そして表示制御部１１２は、該依頼貨物の運送を他社に依頼する条件である求車条件（依頼条件）を設定する設定画面を表示するための表示情報を生成し、自社の情報端末２へ送信する（Ｓ１４）。
【０１０８】
情報端末２において、受信部２１２は、運送計画支援装置１が送信した表示情報を受信し、受信した表示情報に基づいて設定画面を表示部２４に表示させる。情報端末２の送信部２１１は、操作部２３の操作に応じて、設定画面で設定された依頼条件を、運送計画支援装置１へ送信する。運送計画支援装置１において、表示制御部１１２は、情報端末２が送信した依頼条件を受信する。
【０１０９】
表示制御部１１２は、依頼貨物の貨物情報及び情報端末２が送信した依頼条件に基づいて、依頼情報を生成する（Ｓ１５）。表示制御部１１２は、生成した依頼情報を表示するための表示情報を、依頼先運送会社の運送会社ＩＤと関連付けて求貨求車情報記憶部１２３に記憶させる。これにより、依頼情報は、依頼先運送会社の情報端末２に表示可能になる。
【０１１０】
依頼先運送会社のユーザは、情報端末２を用いて画面を表示するための操作を行う。画面を表示するための操作が行われると、情報端末２の送信部２１１は、依頼先運送会社の運送会社ＩＤを、運送計画支援装置１へ送信する。運送計画支援装置１において、表示制御部１１２は、求貨求車情報記憶部１２３において、情報端末２が送信した運送会社ＩＤに関連付けられた依頼情報を取得する。表示制御部１１２は、依頼情報を表示するための表示情報を、依頼先運送会社の情報端末２へ送信する（Ｓ１６）。
【０１１１】
情報端末２において、受信部２１２は、運送計画支援装置１が送信した表示情報を受信し、受信した表示情報に基づいて依頼情報を表示部２４に表示させる。依頼先運送会社のユーザは、いずれかの依頼情報が示す依頼貨物の運送を引き受ける場合に、情報端末２の操作部２３を用いて、該依頼情報を押下する操作を行う。情報端末２の送信部２１１は、押下された依頼情報が示す依頼貨物の貨物ＩＤを、情報端末２を管理する依頼先運送会社の運送会社ＩＤとともに運送計画支援装置１へ送信する。
【０１１２】
運送計画支援装置１において、求貨求車部１１４は、情報端末２が送信した貨物ＩＤを受信する（Ｓ１７）。そして求貨求車部１１４は、受信した貨物ＩＤに対応する依頼貨物に関する貨物情報を、情報端末２が送信した運送会社ＩＤに関連付けることによって生成した引き受け情報を、求貨求車情報記憶部１２３に記憶させる（Ｓ１８）。これにより、運送計画支援装置１は、自社が登録した依頼情報が示す依頼貨物の運送を依頼先運送会社が引き受けることを示す引き受け情報を登録できる。
【０１１３】
［本実施形態の効果］
本実施形態に係る運送計画支援システムＳは、自社のユーザから貨物一覧画面Ｂ又は配車板画面Ａ上で依頼貨物の選択を受け付け、依頼貨物の運送を依頼する依頼情報を他社の情報端末２に表示可能にする。他社のユーザは、情報端末２に表示された依頼情報を参照して依頼貨物の運送を引き受けるか否かを判断し、情報端末２上で依頼貨物の運送を引き受けるための手続きを行うことができる。そのため、運送計画支援システムＳは、自社のユーザが他社に貨物の運送を依頼するための手間を削減できる。
【０１１４】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【０１１５】
運送計画支援装置１及び情報端末２のプロセッサは、図９に示す運送計画支援方法に含まれる各ステップ（工程）の主体となる。すなわち、運送計画支援装置１及び情報端末２のプロセッサは、図９に示す運送計画支援方法を実行するためのプログラムを記憶部から読み出し、該プログラムを実行して運送計画支援装置１及び情報端末２の各部を制御することによって、図９に示す運送計画支援方法を実行する。図９に示す運送計画支援方法に含まれるステップは一部省略されてもよく、ステップ間の順番が変更されてもよく、複数のステップが並行して行われてもよい。
【符号の説明】
【０１１６】
Ｓ  運送計画支援システム
１  運送計画支援装置
１１  制御部
１１１  情報取得部
１１２  表示制御部
１１４  求貨求車部
２  情報端末
２１  制御部
２１２  受信部
２４  表示部
【図１】
2020173533.tif 000003
【図２】
2020173533.tif 000004
【図３】
2020173533.tif 000005
【図４】
2020173533.tif 000006
【図５】
2020173533.tif 000007
【図６】
2020173533.tif 000008
【図７】
2020173533.tif 000009
【図８】
2020173533.tif 000010
【図９】
2020173533.tif 000011